(57)【要約】      （修正有）【課題】通信システムの同一チャンネル干渉を最小にする方法を提供する。【解決手段】第１のフレームのヘッダ401は第１の特有のワード411、413に基づいてスクランブルされ、第２のフレームのヘッダ401は第２の特有のワード411、413に基づいてスクランブルされる。対応するスクランブルされたヘッダ401を含む第１のフレームと、対応するスクランブルされたヘッダ401を含む第２のフレームがそれぞれ、通信システムの隣接する同一チャンネルによって送信される。各フレームはさらに、ペイロード403とパイロットブロック405を含む。第１のフレームのペイロード403とパイロットブロック405は、第１のスクランブリングシーケンスに基づいてスクランブルされる。第２のフレームのペイロード403とパイロットブロック405は、第２のスクランブリングシーケンスに基づいてスクランブルされる。【選択図】図４
2011229154.tif 000002
【特許請求の範囲】
【請求項１】
第１の特有のワードに基づいて第１のフレームのヘッダをスクランブルし、
第２の特有のワードに基づいて第２のフレームのヘッダをスクランブルするステップを含んでおり、
対応するスクランブルされたヘッダを含む第１のフレームと、対応するスクランブルされたヘッダを含む第２のフレームとはそれぞれ、通信システムの隣接する同一チャンネルによって送信される通信システムの同一チャンネル干渉を最小にする方法。
【請求項２】
各フレームはさらに、ペイロードとパイロットブロックを含んでおり、さらに、
第１のフレームのペイロードとパイロットブロックを、第１のスクランブリングシーケンスに基づいてスクランブルし、
第２のフレームのペイロードとパイロットブロックを、第２のスクランブリングシーケンスに基づいてスクランブルするステップを含んでいる請求項１記載の方法。
【請求項３】
さらに、特有のワードおよびスクランブリングシーケンスに関連する情報を、デフォルトキャリアによって、通信システム内の受信機へ送信するステップを含んでいる請求項２記載の方法。
【請求項４】
さらに、通信システムによりサポートされるキャリアに対応する特有のワードとスクランブリングシーケンスとの複数のセットを発生するステップを含んでいる請求項２記載の方法。
【請求項５】
セットの量は予め定められた値である請求項４記載の方法。
【請求項６】
セットの一部は受信機に記憶され、方法はさらに、
記憶されたセットのうち何れを使用するかについてを受信機に命令するステップを含んでいる請求項５記載の方法。
【請求項７】
セットの一部は受信機に記憶され、受信機は記憶されたセットから特定のキャリアに対する有効なセットを決定する請求項２記載の方法。
【請求項８】
セットは、受信機に結合されているデータベース中に記憶され、受信機はセットの一部を記憶するように構成されているキャッシュを含んでいる請求項２記載の方法。
【請求項９】
セットの一部は受信機に記憶され、その方法はさらに、
キャッシュを更新するように受信機に命令するステップを含んでいる請求項８記載の方法。
【請求項１０】
スクランブリングシーケンスは、ゴールドシーケンスに基づいている請求項２記載の方法。
【請求項１１】
通信システムは、デジタル放送および対話型アプリケーションをサポートする衛星を含んでいる請求項１記載の方法。
【請求項１２】
さらに、２進位相シフトキーイング（ＢＰＳＫ）、直角位相シフトキーイング（ＱＰＳＫ）、８ＰＳＫ、１６振幅位相シフトキーイング（ＡＰＳＫ）、３２ＡＰＳＫ、高次の直角振幅変調（ＱＡＭ）の１つを含む変調方式にしたがって各フレームを送信するステップを含んでいる請求項１記載の方法。
【請求項１３】
各フレームは低密度パリティチェック（ＬＤＰＣ）コード化にしたがって符号化された情報を含んでいる請求項１記載の方法。
【請求項１４】
前記命令は、実行時に、１以上のプロセッサに請求項１記載の方法を実行させるように構成されている通信システムの同一チャンネル干渉を最小にするための命令を有しているコンピュータの読取り可能な媒体。
【請求項１５】
第１の特有のワードに基づいて第１のフレームのヘッダをスクランブルするように構成されているスクランブラを具備し、
対応するスクランブルされたヘッダを含む第１のフレームと、対応するスクランブルされたヘッダを含む第２のフレームとはそれぞれ、通信システムの隣接する同一チャンネルによって送信される通信システムの同一チャンネル干渉を最小にするための装置。
【請求項１６】
各フレームはさらに、ペイロードとパイロットブロックとを含んでおり、スクランブラは第１のフレームのペイロードとパイロットブロックを、第１のスクランブリングシーケンスに基づいてスクランブルし、第２のフレームのペイロードとパイロットブロックを、第２のスクランブリングシーケンスに基づいてスクランブルする請求項１５記載の装置。
【請求項１７】
特有のワードおよびスクランブリングシーケンスに関連する情報は、デフォルトキャリアによって通信システム内の受信機へ送信される請求項１６記載の装置。
【請求項１８】
スクランブラは、通信システムによりサポートされるキャリアに対応する特有のワードおよびスクランブリングシーケンスの複数のセットを発生する請求項１６記載の装置。
【請求項１９】
セットの量は予め定められた値である請求項１８記載の装置。
【請求項２０】
セットの一部は受信機に記憶され、受信機は記憶されたセットのうち何れを使用するかについて命令される請求項１９の装置。
【請求項２１】
セットの一部は受信機に記憶され、受信機は記憶されたセットから特定のキャリアの有効なセットを決定する請求項１６記載の装置。
【請求項２２】
セットは、受信機に結合されているデータベース中に記憶され、受信機はセットの一部を記憶するように構成されているキャッシュを含んでいる請求項１６記載の装置。
【請求項２３】
セットの一部は受信機に記憶され、受信機はキャッシュを更新するように命令される請求項２２記載の装置。
【請求項２４】
スクランブリングシーケンスは、ゴールドシーケンスに基づいている請求項１６記載の装置。
【請求項２５】
通信システムは、デジタル放送および対話型アプリケーションをサポートする衛星を含んでいる請求項１５記載の装置。
【請求項２６】
さらに、２進位相シフトキーイング（ＢＰＳＫ）、直角位相シフトキーイング（ＱＰＳＫ）、８ＰＳＫ、１６振幅位相シフトキーイング（ＡＰＳＫ）、３２ＡＰＳＫ、高次の直角振幅変調（ＱＡＭ）の１つを含む変調方式にしたがってフレームを変調するように構成されている変調器を具備している請求項１５記載の装置。
【請求項２７】
各フレームは低密度パリティチェック（ＬＤＰＣ）コード化にしたがって符号化された情報を含んでいる請求項１５記載の装置。
【請求項２８】
スクランブリング情報を受信するためにデフォルトキャリアへ同調し、
そのスクランブリング情報は複数の隣接するキャリアの中で、特定のキャリアに対応する特有のワードおよびスクランブリングシーケンスを含んでおり、特有のワードおよびスクランブリングシーケンスは隣接するキャリアに関して同一チャンネル干渉を最小にするように選択され、
ヘッダ、ペイロード、パイロットブロックを含むスクランブルされたフレームを受信するために特定のキャリアへ同調し、
特有のワードを有するヘッダをデスクランブルし、
スクランブリングシーケンスを有するペイロードおよびパイロットブロックをデスクランブルするステップを含んでいる通信方法。
【請求項２９】
スクランブリング情報は、隣接するキャリアの異なるものに対応する複数のスクランブリング情報のセットの１つである請求項２８記載の方法。
【請求項３０】
セットの量は予め定められた値である請求項２９記載の方法。
【請求項３１】
さらに、スクランブリング情報のセットの一部を受信し、
スクランブリング情報のセットの一部をキャッシュ中に記憶するステップを含んでいる請求項２９記載の方法。
【請求項３２】
さらに、別の１つのキャリアに同調し、
１つのキャリアに対するスクランブリング情報の記憶されたセットから有効なセットを決定するステップを含んでいる請求項２９記載の方法。
【請求項３３】
さらに、スクランブリング情報のセットを受信し、
スクランブリング情報のセットをデータベース中に記憶するステップを含んでいる請求項２９記載の方法。
【請求項３４】
さらに、スクランブリング情報のセットの一部をキャッシュ中に記憶するステップを含んでいる請求項３３記載の方法。
【請求項３５】
さらに、キャッシュを更新するためのコマンドを受信するステップを含んでいる請求項３４記載の方法。
【請求項３６】
スクランブリングシーケンスは、ゴールドシーケンスに基づいている請求項２８記載の方法。
【請求項３７】
通信システムは、デジタル放送および対話型アプリケーションをサポートする衛星を含んでいる請求項２８記載の方法。
【請求項３８】
特有のワードはヘッダと同一の長さを有し、スクランブルされたフレーム中のスクランブルされたヘッダは特有のワードを有する排他的ＯＲ機能に基づいて決定されている請求項２８記載の方法。
【請求項３９】
実行時に、１以上のプロセッサに請求項２８記載の方法を実行させるように構成されている命令を通信システムで通信するために有しているコンピュータの読取り可能な媒体。
【発明の詳細な説明】
【技術分野】
【０００１】
本発明は通信システムに関し、特に信号の干渉の解決に関する。
【背景技術】
【０００２】
放送システムは、デジタル技術により可能にされる高品質送信の要求に取組んでいる。デジタル革命はオーディオおよびビデオプログラミングを含む広帯域サービスの転送と、データ伝送を変化させている。衛星通信システムは、このような広帯域サービスをサポートするための有効な解決策として出現した。このように、電力および帯域幅の効率的な変調およびコード化は、雑音の多い通信チャンネルを横切って確実な通信を行うために衛星通信システムには非常に望ましい。受信機の性能は同一チャンネル干渉（co-channel interference）により悪影響を受ける。このような干渉は、周波数のスペクトル割当てが有限で高価であるため、周波数の再使用から多く生じる。実際の応用では、同一チャンネル干渉は他のシステムオペレータの送信、隣接する軌道のスロットで動作する衛星、又はスポットビーム衛星システムの他のスポットビームから生じる可能性がある。
【０００３】
伝統的に、同一チャンネル干渉の悪影響は、信号の拡散を制限するため、周波数割当ての再設計と、送信設備の変更（向上）によって最小にされている。これらの方法は（技術的解決策が可能であることを仮定すると）多大な工学的投資を必要とし、これは必然的に大きなコストを必要とする。
【０００４】
それ故、実質的にシステムの再設計を必要とせずに、同一チャンネル干渉を最小にする通信システムが必要とされる。
【発明の概要】
【０００５】
これらおよび他の要求は本発明により解決され、その方法は、デジタル放送および対話的システムにおける同一チャンネル干渉を最小にするために行われる。同一チャンネルフレーム間の相互相関は本質的に周期的であることが認識される。第１のフレームのヘッダは第１の特有のワード（ＵＷ）に基づいてスクランブルされる。第２のフレームのヘッダは第２の特有のワードに基づいてスクランブルされる。対応するスクランブルされたヘッダを含む第１のフレームと、対応するスクランブルされたヘッダを含む第２のフレームはそれぞれ、通信システムの隣接する同一チャンネル（co-channels）にわたって送信される。各フレームはさらにペイロードとパイロットブロックを含んでいる。第１のフレームのペイロードおよびパイロットブロックは第１のスクランブリングシーケンスに基づいてスクランブルされる。第２のフレームのペイロードおよびパイロットブロックは第２のスクランブリングシーケンスに基づいてスクランブルされる。特有のワードおよびスクランブリングシーケンスに関連される情報は、デフォルトキャリアによって通信システム内の受信機へ送信される。スクランブリングシーケンスは、本発明の１実施形態によれば、ゴールドシーケンスに基づいている。前述の構成は有効に同一チャンネル干渉の衝撃を減少させ、それによって受信機の性能を強化する。
【０００６】
本発明の１実施形態の１特徴による、通信システムの同一チャンネル干渉を最小にする方法を説明する。この方法は、第１の特有のワードに基づいて第１のフレームのヘッダをスクランブルし、第２の特有のワードに基づいて第２のフレームのヘッダをスクランブルするステップを含んでいる。対応するスクランブルされたヘッダを含む第１のフレームと、対応するスクランブルされたヘッダを含む第２のフレームがそれぞれ、通信システムの隣接する同一チャンネルによって送信される。
【０００７】
本発明の１実施形態の別の特徴による、通信システムの同一チャンネル干渉を最小にする装置を説明する。この装置は、第１の特有のワードに基づいて第１のフレームのヘッダをスクランブルし、第２の特有のワードに基づいて第２のフレームのヘッダをスクランブルするように構成されているスクランブラを含んでいる。対応するスクランブルされたヘッダを含む第１のフレームと、対応するスクランブルされたヘッダを含む第２のフレームはそれぞれ、通信システムの隣接する同一チャンネルによって送信される。
【０００８】
本発明の１実施形態の別の特徴による、通信方法を説明する。この方法は、スクランブリング情報を受信するためにデフォルトキャリアへの同調を含んでいる。スクランブリング情報は複数の隣接するキャリアの中で、特定のキャリアに対応する特有のワードおよびスクランブリングシーケンスを含んでいる。特有のワードおよびスクランブリングシーケンスは隣接するキャリアに関して同一チャンネル干渉を最小にするように選択される。この方法はまたヘッダ、ペイロード、およびパイロットブロックを含むスクランブルされたフレームを受信するために特定のキャリアへ同調するステップを含んでいる。さらに、この方法は特有のワードを有するヘッダをデスクランブルし、スクランブリングシーケンスを有するペイロードおよびパイロットブロックをデスクランブルするステップを含んでいる。
【０００９】
さらに、本発明の他の特徴、特性、利点は本発明を実行するために考慮される最良のモードを含んでいる多数の特定の実施形態および構成を単に例示することによって、以下の詳細な説明から容易に明白であろう。本発明は他の異なる実施形態でも可能であり、その幾つかの詳細は全て本発明の技術的範囲を逸脱せずに、種々の明白な観点で変更されることができる。したがって、図面および説明は本質的に例示であり、本発明の限定として考えてはならない。
【図面の簡単な説明】
【００１０】
【図１】本発明の１実施形態による同一チャンネル干渉を最小にすることのできるデジタル放送システムを示す図。
【図２】図１のシステムのデジタル送信設備で使用される例示的な送信機の概略図。
【図３】図１のシステムの例示的なデジタルモデムの概略図。
【図４】本発明の１実施形態により、図１のシステムで使用されるフレーム構造および隣接する同一チャンネルによって伝送されるそれぞれのフレームに対する異なる特有ワード（ＵＷ）を有するフレームヘッダをスクランブルする論理を示す図。
【図５】本発明の種々の実施形態により、同一チャンネル干渉を隔離するためのスクランブラと、スクランブリングコードの構成に使用されるゴールドコードを出力するためのゴールドシーケンス発生器の概略図。
【図６】本発明の１実施形態による同一チャンネルフレーム間の相互相関の周期的特性を示す概略図。
【図７】図６のスクランブラで使用される例示的なゴールドシーケンス発生器の概略図。
【図８】本発明の１実施形態による異なる物理層シーケンスを生成するためのプロセスのフローチャート。
【図９】本発明の１実施形態によるスクランブルされた物理的ヘッダを発生するためのプロセスのフローチャート。
【図１０】本発明の１実施形態によるスクランブリングパラメータを送信するためのプロセスのフローチャート。
【図１１】スクランブリングパラメータを管理するための本発明の種々の実施形態を示す概略図。
【図１２】本発明の１実施形態によるスクランブリングパラメータの予め指定されたセットに基づいて、受信されたフレームをデスクランブルするフローチャート。
【図１３】図７のｍ個の発生器の初期化シードを決定するための各同一チャンネル対のパイロットセグメントの最悪のケースの相互相関を示す図表。
【図１４】図７のｍ個の発生器の初期化シードを決定するため各同一チャンネル対のパイロットセグメントの最悪のケースの相互相関を示す図表。
【図１５】本発明の実施形態による同一チャンネル干渉を隔離するための種々のプロセスを行うことができるハードウェアプラットフォームの概略図。
【詳細な説明】
【００１１】
本発明を例示により説明し、それは発明を限定するものではなく、添付図面では同じ参照符号は類似の素子を示している。  
デジタル放送および対話型システムにおける同一チャンネル干渉を減少するための装置、方法、ソフトウェアを説明する。以下の説明では、説明のために、多くの特別な詳細について本発明を徹底的に理解するために説明する。しかしながら、本発明はこれらの特別な部分なしで、または等価の構成をもって実施されることができることが当業者には明白であろう。他の例では、よく知られれている構造および装置は本発明を不明瞭にしないように、ブロック図の形態で示されている。
【００１２】
図１は、本発明の１実施形態による同一チャンネル干渉を最小にすることのできるデジタル放送システムの概略図である。このデジタル通信システム100は、通信チャンネル103を横切って、１以上のデジタルモデム105へ放送するための信号波形を発生するデジタル送信設備101を含んでいる。本発明の１実施形態によれば、通信システム100は例えばオーディオおよびビデオ放送サービスおよび、対話型サービスをサポートする衛星通信システムである。対話型サービスは例えば、電子プログラミングガイド（ＥＰＧ）、高速度インターネットアクセス、対話型広告、電話、ｅメールサービスを含んでいる。これらの対話型サービスは、ペイ・パー・ビュー、ＴＶコマース、ビデオ・オン・デマンド、ニア・ビデオ・オン・デマンド、オーディオ・オン・デマンドサービスとして、このようなテレビジョンサービスも含むことが出来る。この実施例では、モデム105は衛星モデムである。
【００１３】
放送応用では、連続モードモデム105が広く使用されている。低い信号対雑音比（ＳＮＲ）の環境で良好に動作するコードは同期（例えばキャリアの位相および搬送周波数）に関してはこれらのモデムには不適当である。物理層ヘッダおよび／またはパイロットシンボルはこのような同期のために使用されることができる。したがって、システムの性能に関する重要なことは、物理層ヘッダおよび／またはパイロットシンボルにおける同一チャンネル干渉について考慮することである。物理層ヘッダおよび／またはパイロットシンボルは、キャリア位相、搬送周波数の捕捉および／または追跡に使用されるので、このような干渉は受信機の性能を劣化する可能性がある。
【００１４】
通常のデジタル放送システム（図示せず）はそれらの同期プロセスで、フレーム構造中の通常のオーバーヘッドビットの使用を超える付加的な訓練シンボルの使用を必要とする。オーバーヘッドの増加は特に、信号対雑音比（ＳＮＲ）が低いときに必要とされ、このような環境の典型的なものは高性能のコードが高次の変調を伴って使用されるときである。伝統的に、連続モードモデムは搬送周波数および位相を捕捉および追跡するためのフィードバック制御ループを使用する。この同期プロセスでは、ＦＥＣ（順方向エラー訂正）コード化データフィールド、例えばある既知のデータシンボルを含んでいるブロックコードのプリアンブルは単に無視される。純粋にフィードバック制御ループに基づくこのような通常の方法は、強い無線周波数（ＲＦ）位相雑音および熱雑音を受けやすく、受信機性能全体に高いサイクルスリップレートおよびエラーフロアを生じる。したがってこれらの方法は、限定された捕捉範囲と長い捕捉時間に加えて、ある性能ターゲットの訓練シンボルに関するオーバーヘッドの負担の増加を強いられる。さらに、これらの通常の同期化技術は特定の変調方式に依存しており、それによって変調方式の使用におけるフレキシブル性を妨げる。
【００１５】
図１のシステム100では、モデム105は（図４のＡに示されている）放送データフレーム構造中に埋設されているプリアンブルおよび／または特有のワード（ＵＷ）を検査することによってキャリア同期を達成し、それによって訓練の目的で特別に指定された付加的なオーバーヘッドの使用を減少させる。デジタルモデム105を以下図３に関してさらに十分に説明する。
【００１６】
このディスクリートな通信システム100では、送信設備101はメディア内容（例えばオーディオ、ビデオ、テキスト情報、データ等）を表す可能なメッセージのディスクリートなセットを生成し、各可能なメッセージは対応する信号波形を有している。これらの信号波形は、通信チャンネル103により、減衰されるか、またはその他の方法で変更される。雑音チャンネル103を克服するために、送信設備101は低密度パリティ検査（ＬＤＰＣ）コードを使用する。
【００１７】
送信設備101により発生されるＬＤＰＣコードは、何等の性能損失も招かずに、高速度の実行を可能にする。送信設備101から出力されたこれらの構造化されたＬＤＰＣコードは、少ない数のチェックノードを、変調方式（例えば８ＰＳＫ）のために既にチャンネルエラーに対して脆弱なビットノードに割当てることを防止する。このようなＬＤＰＣコードは（ターボコードとは異なって）平行可能な復号プロセスを有し、これは付加、比較、表の検索のような簡単な動作を有効に含んでいる。さらに、慎重に設計されたＬＤＰＣコードは何等のエラーフロアの徴候も示さない。
【００１８】
本発明の１実施形態によれば、送信設備101は、図２で以下説明するような比較的簡単な符号化技術を使用して、衛星モデム105と通信するために（復号期間中に効率的なメモリアクセスを促す）パリティ検査マトリックスに基づいたＬＤＰＣコードを発生する。
【００１９】
図２は、図１のシステムのデジタル送信設備で使用される例示的な送信機の概略図である。送信機200には、情報ソース201から入力を受信して受信機105で処理するエラー訂正に適したさらに高い冗長度のコード化されたストリームを出力するＬＤＰＣエンコーダ203が設けられている。情報ソース201はディスクリートなアルファベットＸから信号ｋを発生する。ＬＤＰＣコードはパリティ検査マトリックスで特定される。他方で、符号化ＬＤＰＣコードは、通常、発生器マトリックスの特定を必要とする。ガウスの消去法を使用して、パリティ検査マトリックスから発生器マトリックスを得ることは可能であるが、結果的なマトリックスはもはや疎ではなく、大きな発生器マトリックスの記憶は複雑になる可能性がある。
【００２０】
エンコーダ203は、パリティ検査マトリックスに構造を与えることによって、パリティ検査パトリックスだけを使用する簡単な符号化技術を使用して、アルファベットからの信号Ｙを変調器205へ発生する。特に、マトリックスのある部分を三角形であるように制限することによってパリティ検査マトリックスに限定を与える。このような限定によって生じる性能の損失は無視できる程度であり、それ故、魅力的な妥協を構成する。このようなパリティ検査マトリックスの構成は、2003年７月３日提出の同時係属の特許出願（代理人番号PD-203016；通し番号10/613,823）（発明の名称“Method and System for Providing Low Density Parity Check (LDPC) Encoding”）でさらに十分に説明されており、その全体がここで参考文献とされている。
【００２１】
変調器205はエンコーダ203からの符号化されたメッセージを信号波形にマップし、それらは送信アンテナ207へ送信され、送信アンテナ207はこれらの波形を通信チャンネル103へ放出する。したがって、符号化されたメッセージは変調され、送信アンテナ207へ分配される。送信アンテナ207からの送信は、以下説明するように、デジタルモデムへ伝播する。衛星通信システムの場合には、送信アンテナ207からの送信された信号は、衛星を介して中継される。送信機200は、以下さらに十分に説明するように、同一チャンネル干渉を最小にするように、送信のためにシンボルを変更するスクランブラ209をさらに含んでいる。
【００２２】
図３は、図１のシステムの例示的なデジタルモデムの概略図である。デジタルモデム300は変調器／復調器として、送信機200との間の信号の送信および受信をサポートする。本発明の１実施形態によれば、モデム300はアンテナ303から受信されたＬＤＰＣ符号化された信号の濾波およびシンボルタイミング同期を行うフロントエンドモジュール301と、フロントエンドモジュール301から出力された信号の周波数および位相の捕捉と追跡を行うキャリア同期モジュール302とを有している。デマッパ305はキャリア同期モジュール302から出力された受信された信号のデマップを行う。復調後、信号はＬＤＰＣ復号器307へ転送され、そのＬＤＰＣ復号器307はメッセージＸ’を発生することにより、もとのソースメッセージを再構成しようとする。
【００２３】
受信側に関しては、所望とするキャリアと干渉キャリアの両者が同一の変調およびコード化構造（またはモード）を使用するならば、フレームヘッダ（図４のＡで示されている）はそれらの相対的な周波数オフセットが小さい時間に正確に整列されるとき、干渉は復調器の位相評価において大きなエラーを生じかねない。結果として、復調器は周期的に、エラーを生じる可能性がある。この状態は、関係する信号の周波数およびシンボルクロックが十分に近い時に生じるが、相互に関してドリフトする。
【００２４】
送信側では、モデム300は入力信号を符号化するためにＬＤＰＣエンコーダ309を使用する。符号化された信号はその後、変調器311により変調され、この変調器311は種々の変調方式、例えば２進位相シフトキーイング（ＢＰＳＫ）、直角位相シフトキーイング（ＱＰＳＫ）、８ＰＳＫ、１６振幅位相シフトキーイング（ＡＰＳＫ）、３２ＡＰＳＫ、高次の直角振幅変調（ＱＡＭ）、又は他の高次の変調方式を使用することができる。
【００２５】
図４のＡは、図１のシステムで使用される例示的なフレームの構造図である。例示により、例えば衛星放送および対話型サービスを支持できるＬＤＰＣコード化されたフレーム400が示されている。このフレーム400は（“ＰＬＨＥＡＤＥＲ”と示されている）物理層ヘッダ401を含んでおり、１つのスロットと、データまたは他のペイロードのための他のスロット403とを占有している。さらに、フレーム400は本発明の１実施形態によれば、キャリアの位相および周波数の同期を助けるためのパイロットブロック405を使用する。このパイロットブロック405は随意選択的であり、パイロット挿入プロセスを介して挿入されることに注意すべきである。１６個のスロット403の後に示されているが、特有のワード（ＵＷ）を表すパイロットブロック（またはパイロットシーケンス）405がフレーム400に沿った何れかの箇所に挿入されることができる。
【００２６】
例示的な実施形態では、パイロット挿入プロセスは１４４０シンボル毎にパイロットブロックを挿入する。このシナリオでは、パイロットブロックは３６個のパイロットシンボルを含んでいる。例えば、物理層フレーム400では、第１のパイロットブロックはしたがって、ＰＬＨＥＡＤＥＲの１４４０シンボルを後に挿入され、第２のパイロットブロックは、２８８０シンボル後に挿入される。パイロットブロックの位置が次のＰＬＨＥＡＤＥＲの開始と一致するならば、そのパイロットブロックは挿入されない。前述のパイロット挿入プロセスは、同時係属の特許出願（2004年５月10日提出、通し番号10/842,325）発明の名称“Method and Apparatus for Providing Carrier Synchronization in Digital Broadcast and Interactive Systems”でさらに詳細に説明されており、その全体がここで参考文献とされている。
【００２７】
キャリア同期モジュール302（図３）は、本発明の１実施形態によれば、搬送周波数および位相同期のためにＰＬＨＥＡＤＥＲ401および／またはＵＷ405を使用する。前述したように、通常、既知のデータシンボル（例えばＰＬＨＥＡＤＥＲ401）を含んでいるＦＥＣコード化データは連続モードモデムにおいては無視される。即ち、ＰＬＨＥＡＤＥＲ401および／またはＵＷ405はキャリア同期のため、即ち周波数捕捉および追跡動作と位相追跡ループを助けるために使用される。このようにして、ＰＬＨＥＡＤＥＲ401とＵＷ405は“訓練”または“パイロット”シンボルを考慮され、個別にまたは集合的に訓練ブロックを構成する。
【００２８】
８ＰＳＫ変調では、パイロットシーケンス405は、（各シンボルが（１＋ｊ）／２１／２である）３６シンボルの長さのセグメントであり、即ち３６シンボル（ＰＳＫ）である。フレーム400では、パイロットシーケンス405はデータの１４４０シンボルの後に挿入されることができる。このシナリオでは、ＰＬＨＥＡＤＥＲ401は、変調、コード化、パイロット構造に応じて、６４の可能なフォーマットを有することができる。
【００２９】
前述したように、干渉キャリアと所望のキャリア（即ち隣接する同一チャンネル）のヘッダが時間において整列されるとき、干渉ＰＬＨＥＡＤＥＲ401からのコヒーレントな影響は重大な位相エラーを発生する可能性があり、許容できない性能の劣化を発生することが認識される。同様に、両方の同一チャンネルがパイロットシンボルを使用するならば（両方がパイロットブロック405に対して同一のスクランブリングシーケンスを使用する）、パイロットブロック405は正確に同じ方法でスクランブルされ、それによって干渉キャリア（または同一のチャンネル）のパイロットブロックのコヒーレントな影響は依然として問題がある。
【００３０】
同一チャンネル干渉の影響を緩和するため、フレーム400がパイロットモードでスクランブルされる。通常、このモードでは、非ヘッダ部分407だけがスクランブルされる。しかしながら、放送モードでは、パイロットブロック405を含むフレーム全体400は共通のコードを使用してスクランブルされ、例えば全てのモデム105には同一のゴールドシーケンスが与えられる。スクランブリングプロセスはさらに、図５のＡとＢ、図８および９に関して説明される。ここで使用するように、スクランブルされるパイロットシーケンスはフレーム400の“パイロットセグメント”とも呼ばれる。さらに、フレーム400は８ＰＳＫ変調されたフレームの構造を示しているが、長いフレームモード（例えば６４８００データビット／フレーム）で送信するとき、ＱＰＳＫ変調されたフレームは２２のパイロットセグメントを含むことができる。
【００３１】
図４のＢで見られるように、同一チャンネル干渉の影響をさらに減少するため、ＰＬＨＥＡＤＥＲ401と同じ長さの幾つかの異なる特有のワード（ＵＷ）パターンが、ヘッダ401をスクランブルするためにそれぞれの同一チャンネルに対して使用されることができる。例えば、ＰＬＨＥＡＤＥＲ401を有する異なるＵＷパターン411、413の（ＸＯＲ論理装置409を介する）排他的ＯＲは所望のキャリア及び干渉キャリア（即ち同一チャンネル）に対して行われることができる。この方法では、干渉キャリアのＰＬＨＥＡＤＥＲ401に関連する電力はもはや、所望のキャリアのＰＬＨＥＡＤＥＲ401にコヒーレントに付加されることはない。
【００３２】
フレーム400については衛星放送および対話型サービス（およびデジタルビデオ放送（ＤＶＢ）―Ｓ２標準にコンプライアント）をサポートする構造に関して説明しているが、本発明のキャリア同期技術は他のフレーム構造にも適用されることができることが認識されよう。
【００３３】
図５のＡは、本発明の１実施形態により、同一チャンネル干渉を隔離するためのスクランブラの概略図である。スクランブリングコードは本発明の１実施形態によれば、ゴールドコードから構成されることのできる複素数シーケンスである。即ち、スクランブラ209はスクランブリングシーケンスＲｎ（ｉ）を発生する。表１は、図７のスクランブラ論理にしたがって、スクランブリングシーケンスＲｎ（ｉ）がスクランブラ209を使用してフレームをスクランブルする態様を規定している。特に、表１は、スクランブラ209の出力に基づいた、入力シンボルの出力シンボルへのマッピングを示している。  
【表１】
2011229154.tif 000003
【００３４】
異なるゴールドシーケンスは、２つのｍシーケンス発生器のうちの一方で異なるシードを使用して発生されることができる。異なるサービスに対して異なるシードを使用することによって、相互干渉が減少されることができる。
【００３５】
放送モードでは、９０シンボルの物理層ヘッダ401が特定の物理チャンネルで一定のままであることができる。ゴールドシーケンスは各フレームの開始時にリセットされ、したがってスクランブルされるパイロットは同様に、フレーム長に等しい期間で周期的である。フレームでデータを伝播する情報は変化し、ランダムであるように見えるので、同一チャンネル干渉はランダムであり、動作信号対雑音比を劣化させる。しかしながら、物理層ヘッダ401とパイロットブロック405の時間不変性特性のために、キャリアおよび位相評価は、このような捕捉及び追跡のためのこれらのパイロットおよび物理層ヘッダにしたがって、受信機でスキューされる。これはランダムデータに関連する信号対雑音比の性能劣化を超えて性能を劣化させる。
【００３６】
スクランブラ209は同一チャンネル干渉をさらに隔離するために、異なるスクランブリングシーケンス（数値ｎ）を使用する。各スクランブリングシーケンスまたはパイロットシーケンスは異なるシードｎに対応する。例示により説明すると、１７の可能な構造は以下の表２で示されているように与えられる。各構造では、１つのスクランブリングシーケンスが物理層ヘッダのために与えられ、１つのスクランブリングシーケンスがパイロットのために与えられる。異なるパイロットはゴールドシーケンスの異なるシードに関して特定される。
【００３７】
図５のＢは、本発明の１実施形態にしたがって、スクランブリングコードを構成するために使用されるゴールドコードを出力するためのゴールドシーケンス発生器の概略図を示している。示されているように、ゴールドシーケンス発生器500は、シーケンスの“好ましい対”を生成するために、２つの擬似雑音（ＰＮ）シーケンス発生器501、503を使用する。“好ましい対”は（図７のスクランブラで見られるように）“好ましい多項式”により特定されることができる。これらのＰＮシーケンス発生器501、503の出力はＸＯＲ論理装置505へ与えられ、このＸＯＲ論理装置505はゴールドシーケンスを発生するために出力シーケンスで排他的ＯＲ機能を実行する。ゴールドシーケンス発生器500は、良好な周期的相互相関特性を示す大きいクラスのシーケンスからゴールドシーケンスを発生する。そのゴールドシーケンスは期間Ｎ＝２ｎ−１のシーケンスｕ、ｖの特定された対を使用して規定され、このような対は“好ましい対”と呼ばれる。ゴールドシーケンスのセットＧ（ｕ，ｖ）は次式のように規定される。  
【数１】
2011229154.tif 000004
【００３８】
ここでＴはベクトルを１位置だけ左に周期的にシフトする演算子を表し、直和符号はモジュロ２加算を表している。Ｇ（ｕ，ｖ）は周期ＮのＮ＋２シーケンスを含むことに注意すべきである。ゴールドシーケンスは任意の２つの間またはそれらのシフトされたバージョン間の相互相関が３つの値−ｔ（ｎ），−１またはｔ（ｎ）−２のうちの１つを想定することに注意し、ここでは、  
【数２】
2011229154.tif 000005
【００３９】
スクランブラ209に戻ると、動作において、異なるシードまたは物理層シーケンスは“隣接する同一チャンネル”で使用される。スクランブラ209のスクランブリング機構は、物理層のシグナリングと、異なるゴールドシーケンスを表す異なるシードとの間で一つずつ関連することによってシグナリングを有効に減少する。表２は８進フォーマットで、物理層ヘッダのスクランブリングシーケンスの選択をエミュレートしている。  
【表２】
2011229154.tif 000006
【００４０】
データは同一チャンネルで、独立していると仮定される。それ故、同一チャンネル干渉はチャンネルのパイロットセグメント間の相互相関に対応する期間のみからなる。１つのチャンネルのデータと、他のチャンネルのパイロットセグメントもまた相関されない。オーバーラップの程度にしたがって、相関は完全または部分的になる。パイロットセグメントｘ（ｎ）とｙ（ｎ）の相関ＣＸＹ（ｎ）は式３で表され、それにおいて和はオーバーラップするシンボル数にわたっている。  
【数３】
2011229154.tif 000007
【００４１】
さらに、これらの相互相関は本質的に周期的であり、即ちこれらはフレームレートで繰り返されていることに注意することが重要である。図６で示されているように、同一チャンネル１に関連されるフレーム601、603は、同一チャンネル２のフレーム605、607に関して単にシフトされている。
【００４２】
同一チャンネルが同一のシードを使用し、（整列されたフレーム境界と）完全に整列されるならば、これらのパイロットセグメントの相互相関は次式を生成する。  
【数４】
2011229154.tif 000008
【００４３】
ここで、ＡｘとＡｙはそれぞれベクトルｘ（ｋ）とｙ（ｋ）の大きさであり、φはベクトルｘ（ｋ）とｙ（ｋ）との間の位相差である。この相関は所望されるユーザの信号を回転する効果を有し、それによって深刻な干渉を生じさせる。
【００４４】
図７は、図６のスクランブラで使用される例示的なゴールドシーケンス発生器の概略図である。同一チャンネルに対して異なるゴールドシーケンス、即ち各同一チャンネルで異なる初期化シードを使用することによって、干渉は軽減されることができる。この例では、ゴールドシーケンス発生器700は１＋Ｘ７＋Ｘ１８と１＋Ｙ５＋Ｙ７＋Ｙ１０＋Ｙ１８の好ましい多項式を使用する。図５の例で説明を続けると、１７個の同一チャンネルを維持するために、本発明の例示的な実施形態では、表３および４中のシードがｍシーケンス発生器701へプログラムされることができる。その多項式はＸ（０）＝１、およびＸ（１）＝Ｘ（２）＝…Ｘ（１７）＝０、およびＹ（０）＝Ｙ（１）＝Ｘ（２）＝…Ｘ（１７）＝１のように初期化される。この初期化に対応するゴールドコードシーケンスの数“ｎ”も表３にリストされている。
【００４５】
本発明の１実施形態により、シードは同一チャンネルパイロットセグメントのそれぞれの対間で、最悪の相互相関を最小にする次善検索アルゴリズムを使用して、発生される。  
【表３】
2011229154.tif 000009
【表４】
2011229154.tif 000010
【００４６】
表３および表４のリストされた同一チャンネルのうち任意の２つの間の最悪の相関がそれぞれ図１３および図１４で与えられている。最大の相互相関が−２．７８ｄＢであることが図１３で分かる（太字のフォントで強調）。図１４では、この最大の相互相関は−２．９２ｄＢで生じている。ゴールドシーケンス自体は良好な相互相関特性を有するが、パイロットセグメントは貧弱な相互相関特性を示す可能性があることが観察される。これはセグメントが３６シンボルの長さのみであり、シード選択手順が最悪の相互相関により制約される事実によるものである。
【００４７】
スクランブリングプロセスをさらに図８および図９で説明する。
【００４８】
図８は、本発明の１実施形態による異なる物理層シーケンスを発生するためのプロセスのフローチャートである。ステップ801で、異なる初期化シードがそれぞれの同一チャンネルに割当てられる。次に、ステップ803にしたがって、ゴールドシーケンスがシードに基づいて発生される。スクランブリングシーケンスはその後、ステップ805のように、各異なるサービスに対するゴールドシーケンスから構成される。ステップ807で、物理層シーケンスがスクランブラ209（図２）により出力される。
【００４９】
図９は、本発明の１実施形態によるスクランブルされた物理ヘッダを発生するためのプロセスのフローチャートである。（図２の）送信機200はステップ901のように、物理ヘッダまたはパイロットシーケンスに関連する入力シンボルを受信する。ステップ903で、送信機はスクランブラ209により発生されたスクランブリングシーケンスにしたがって、入力シンボルをマップする。出力シンボルはその後ステップ905にしたがって発生される。その後、送信機はスクランブルされた物理層および／またはスクランブルされたパイロットシーケンスを有するフレームを出力する（ステップ907）。
【００５０】
図１０は、本発明の１実施形態によるスクランブリングパラメータを送信するためのプロセスのフローチャートである。前述したように、パイロットモードでは、異なるゴールドシーケンスが同一チャンネル干渉を減少するために異なるサービスに対して使用される。さらに、ヘッダ401と同一の長さの異なるＵＷパターンの使用により、ヘッダ401のコヒーレントな付加を最小にすることができる。結果として、受信機はＰＬＨＥＡＤＥＲをアンスクランブルするための適切なＵＷと、ペイロードデータおよびパイロットブロックをアンスクランブルするための適切なゴールドシーケンスを必要とする。
【００５１】
ステップ1001では、送信機（例えば送信機200）はデフォルトキャリアにわたって、各サポートされたキャリアまたは同一チャンネルに対するスクランブリングパラメータを送信する。本発明の１実施形態によれば、スクランブリングパラメータはＵＷのインデックスと、各キャリアに対するスクランブリングシーケンス数とを含んでいる。デフォルトキャリアは、ＰＬＨＥＡＤＥＲがスクランブルされず、ペイロードデータ（および存在するならばパイロットブロック）がデフォルトゴールドシーケンス、例えばシーケンスＮｏ．０によりスクランブルされるフレームをサポートする。受信機は、ステップ1003のように、最初にこのキャリアに同調してスクランブリングパラメータ（例えばＵＷインデックスおよびゴールドシーケンス数）を獲得し、受信される全てのキャリアのスクランブリングパラメータセットを記憶する（ステップ1005）。ステップ1007のように、受信機が別のキャリアに切換わるとき、そのキャリアに対する特定のスクランブリングパラメータがステップ1009にしたがって検索される。特に、記憶されたインデックスは正確なＵＷと、記憶されたゴールドシーケンス数を発見するために検索される。ステップ1011で、特定のキャリアにわたって受信されたフレームは適切にデスクランブルされる。
【００５２】
図１１は、スクランブリングパラメータを管理するための本発明の種々の実施形態を示す図である。この例では、衛星システム1100は、このシステム1100で使用される全てのキャリアに対するスクランブリングパラメータを外部メモリ、即ちデータベース1103に記憶するハブステーションを含んでいる。スクランブリングパラメータは２つの方法を使用して、衛星1107を介して衛星端末1103と1105に伝送されることができる。
【００５３】
第１の方法では、端末1103は、その端末1103に割当てられるキャリアに対応するスクランブリングパラメータの全てのセットを維持する。この方法では、ハブステーション1101は、特定のキャリアに対して使用するためにスクランブリングパラメータの適切なセットに関連される特定のエントリを端末1103に対して示すことだけを必要とする。更新コマンドは端末1103のデータベース1109中のこれらのＵＷおよびゴールドシーケンス数のインデックスを示すだけである。
【００５４】
第２の方法は、図１２に説明されているように、予め選択された、または予め指定されたスクランブリングパラメータエントリに対するキャッシング機構を使用する。このようにして、端末1105はパラメータの予め指定されたセットを記憶するためのキャッシュ1111を含んでいる。
【００５５】
図１２は、本発明の１実施形態によるスクランブリングパラメータの予め指定されたセットに基づいて、受信されたフレームをデスクランブルするフローチャートである。この方法により、端末1105により使用されるキャリアに対応しているスクランブリングパラメータのｋ個のセットはステップ1201のように、予め選択されるか予め指定される。換言すると、表中にはｋの予め選択されたＵＷおよびｋのゴールドシーケンス数だけがある。ｋの値はキャッシュ1111のサイズにしたがって構成されることができる。結果として、ハブステーション1101は各キャリアに対して２ｌｏｇ２ｋビットを送信する必要があるだけである。さらに、ＵＷとゴールドシーケンス数との間の固定した関連が維持されるならば、送信されるビット数は、各キャリアで１ｌｏｇ２ｋビット数のように、さらに減少されることができる。したがって、端末1105はステップ1203にしたがって、キャッシュ1111中にスクランブリングパラメータのｋ個のセットだけを記憶する。
【００５６】
この“キャッシュ”の概念により、端末1105はハブステーション1101によるスクランブリングパラメータの特定のセットに関して命令される必要はない。この時点で、端末1105は、ステップ1205にしたがって、ハブステーション1101がこのような命令を指示していることを決定したならば、端末1105はキャッシュ1111から適切なスクランブリングパラメータを検索し、ステップ1207のように、特定のキャリアで受信されたフレームをデスクランブルする。
【００５７】
その代わりに、端末1105はそれ自体、ステップ1209のように、キャッシュ1111内のスクランブリングパラメータ表中の有効なエントリを決定することができ、ｋは端末1105の処理能力の過剰負担とならない程度に十分に小さいと仮定する。端末1105は、受信機が最初に特定のキャリアに同調するとき、デフォルトキャリアを介してこれらのパラメータを受信せずに、キャッシュ1111中に記憶されているＵＷおよびゴールドシーケンス数の全ての可能なｋの予め選択されたセットをステップスルーするための検索手順を実行することができる。ＵＷおよびゴールドシーケンス数の有効または正確なセットが検索後に特定のキャリアに対して発見されたならば、情報はステップ1211にしたがって、このキャリアのためのキャッシュ1111に記憶されることができる。この情報はその後、フレームのデスクランブルに使用される（ステップ1213）。結果として、スクランブリングパラメータのこの有効なセットは、必要なときにさらに検索せずに、将来使用される。
【００５８】
前述の方法により、スクランブリングパラメータが端末1105に伝送される態様に対して大きなフレキシブル性が与えられる。ハブステーション1101は無線のプログラミングを通して限定されたｋのＵＷおよびゴールドシーケンス数のセットを更新することができる。端末1105のキャッシュ1111中に記憶されているＵＷおよびゴールドシーケンス数のｋの内部セットが存在するが、各セットはハブステーション1101による遠隔コマンド下で、新しいＵＷおよびゴールドシーケンス数で置換されることができる。例えば、無線のキャッシュ更新では、ＵＷおよびゴールドシーケンス数の全長（例えば１８ビット）がインデックスと共に送信される。
【００５９】
図８乃至１０および図１２のプロセスは、減少された同一チャンネル干渉を有効に行い、それによって受信機の性能を強化する。これらのプロセスは図１５に示されているように、ソフトウェアおよび／またはハードウェアとして実行されることができる。
【００６０】
図１５は、本発明による実施形態が構成されることのできる例示的なハードウェアを示している。コンピュータシステム1500は、バス1501またはその他の情報を通信するための通信機構と、情報処理のためバス1501に結合されているプロセッサ1503とを含んでいる。コンピュータシステム1500は、情報と、プロセッサ1503により実行されるべき命令とを記憶するためにバス1501に結合されているランダムアクセスメモリ（ＲＡＭ）または他の動的記憶装置のような主メモリ1505も含んでいる。主メモリ1505はまたプロセッサ1503による命令の実行中に、一時的に変数またはその他の中間情報を記憶するために使用されることができる。コンピュータシステム1500はさらに、静的情報およびプロセッサ1503のための命令を記憶するためにバス1501に結合されている読取り専用メモリ（ＲＯＭ）1507とその他の静的記憶装置を含むことができる。磁気ディスクまたは光ディスクのような記憶装置1509は持続的に情報および命令を記憶するためにバス1501に結合されている。
【００６１】
コンピュータシステム1500は、情報をユーザに表示するための液晶ディスプレイまたはアクチブマトリックスディスプレイのようなディスプレイ1511へ、バス1501を介して結合されることができる。文字数字その他のキーを含むキーボードのような入力装置1513は、情報およびコマンド選択をプロセッサ1503へ通信するためにバス1501に結合されることができる。入力装置1513は命令情報およびコマンド選択をプロセッサ1503に通信し、ディスプレイ1511上のカーソルの動きを制御するために、マウス、トラックボール、又はカーソル指令キーのようなカーソル制御を含むことができる。
【００６２】
本発明の１実施形態によれば、図８乃至１０および図１２のプロセスは、プロセッサ1503による主メモリ1505中に含まれる命令の段取りの実行に応答して、コンピュータシステム1500により行われることができる。このような命令は、記憶装置1509のような別のコンピュータの読取り可能な媒体から主メモリ1505へ読取られることができる。主メモリ1505中に含まれている命令の段取りの実行によって、プロセッサ1503にここで説明したプロセスステップを実行させる。多処理構造の１以上のプロセッサは主メモリ1505中に含まれている命令を実行するために使用されることもできる。別の実施形態では、配線回路が本発明の実施形態を構成するためにソフトウェア命令の代わりに、又はそれと組合わせて使用されることもできる。別の例では、フィールドプログラム可能なゲートアレイ（ＦＰＧＡ）のような再構成可能なハードウェアが使用されることができ、それにおいてはその論理ゲートの機能および接続トポロジは、典型的にメモリの検索表のプログラミングにより、動作時間でカスタム化される。したがって、本発明の実施形態はハードウェア回路及びソフトウェアの任意の特定の組合わせに限定されない。
【００６３】
コンピュータシステム1500はまたバス1501に結合された少なくとも１つの通信インターフェース1515を含んでいる。この通信インターフェース1515は、ネットワークリンク（図示せず）に結合する２方向のデータ通信を行う。通信インターフェース1515は、種々のタイプの情報を表すデジタルデータ流を伝播する電気的、電磁的または光信号を送信し、受信する。さらに、通信インターフェース1515はユニバーサルシリアルバス（ＵＳＢ）インターフェース、ＰＣＭＣＩＡ（パーソナルコンピュータメモリカードインターナショナルアソシエーション）インターフェース等のような周辺インターフェース装置を含むことができる。
【００６４】
プロセッサ1503は通信インターフェース1515によって受信されているコードを実行することができ、および／または後に実行するために記憶装置1509または他の不揮発性記憶装置にそのコードを記憶することができる。このようにして、コンピュータシステム1500は搬送波の形態でアプリケーションコードを得ることができる。
【００６５】
ここで使用されている用語“コンピュータの読取可能な媒体”とは、実行するためにプロセッサ1503に命令を与えることに参加する任意の媒体をさしている。このような媒体は、不揮発性媒体、揮発性媒体、送信媒体を含むがそれらに限定されない多くの形態を取ることができる。不揮発性媒体は、例えば記憶装置1509のような光ディスクまたは磁気ディスクを含んでいる。揮発性媒体には主メモリ1505のようなダイナミックメモリが含まれている。送信媒体には、バス1501を構成するワイヤを含めた同軸ケーブル、銅線、光ファイバが含まれている。送信媒体はまた無線周波数（ＲＦ）および赤外線（ＩＲ）データ通信中に発生されるような音響、光学、又は電磁波の形態を取ることもできる。コンピュータの読取り可能な媒体の普通の形態は、例えばフロッピー（登録商標）ディスク、フレキシブルディスク、ハードディスク、磁気テープ、任意の他の磁気媒体、ＣＤ−ＲＯＭ、ＣＤＲＷ、ＤＶＤ、任意の他の光学媒体、パンチカード、ペーパーテープ、光学マークシート、穴のパターン或いは他の光学的に認識可能な標識を有する任意の他の物理的媒体、ＲＡＭ、ＰＲＯＭ、ＥＰＲＯＭ、フラッシュＥＰＲＯＭ、任意の他のメモリチップまたはカートリッジ、搬送波、又はコンピュータが読取ることのできる任意の他の媒体を含んでいる。
【００６６】
種々の形態のコンピュータの読取り可能な媒体は、実行のためプロセッサへ命令を与えることに関与されることができる。例えば本発明の少なくとも一部を実行するための命令は最初に、遠隔コンピュータの磁気ディスクに与えられることができる。このようなシナリオでは、遠隔コンピュータは命令を主メモリへロードし、命令をモデムを使用して電話線で送信する。ローカルシステムのモデムは電話線でそのデータを受信し、赤外線送信機を使用して、データを赤外線信号へ変換し、その赤外線信号を、パーソナルデジタルアシスタント（ＰＤＡ）またはラップトップのような可搬型のコンピュータ装置へ送信する。可搬型のコンピュータ装置における赤外線検出器は、赤外線信号により伝送される情報および命令を受信し、そのデータをバスへ与える。バスはそのデータを主メモリへ伝送し、そこからプロセッサは命令を検索して実行する。主メモリにより受信された命令は随意選択的に、プロセッサの実行前または実行後に、記憶装置に記憶されることができる。
【００６７】
したがって、本発明の種々の実施形態はデジタル放送および対話型システムにおける同一チャンネル干渉を最小にする方法を提供する。同一チャンネルフレーム間の相互相関は本質的に周期的であることが認識される。第１のフレームのヘッダは第１の特有のワード（ＵＷ）に基づいてスクランブルされる。第２のフレームのヘッダは第２の特有のワードに基づいてスクランブルされる。対応するスクランブルされたヘッダを含む第１のフレームと、対応するスクランブルされたヘッダを含む第２のフレームはそれぞれ通信システムの隣接する同一チャンネルによって送信される。各フレームはさらに、ペイロードとパイロットブロックを含んでいる。第１のフレームのペイロードとパイロットブロックは第１のスクランブリングシーケンスに基づいてスクランブルされる。第２のフレームのペイロードとパイロットブロックは第２のスクランブリングシーケンスに基づいてスクランブルされる。特有のワードおよびスクランブリングシーケンスに関連される情報はデフォルトキャリアによって通信システム内の受信機へ送信される。スクランブリングシーケンスは、本発明の１実施形態によれば、ゴールドシーケンスに基づいている。前述の構成は同一チャンネル干渉の影響を有効に減少し、それによって受信機の性能を強化する。
【００６８】
本発明を多くの実施形態および構成に関連して説明したが、本発明はこれらに限定されず、特許請求の範囲内に入る種々の明白な変形、等価の構成をカバーする。
【図１】
2011229154.tif 000011
【図２】
2011229154.tif 000012
【図３】
2011229154.tif 000013
【図４】
2011229154.tif 000014
【図５】
2011229154.tif 000015
【図６】
2011229154.tif 000016
【図７】
2011229154.tif 000017
【図８】
2011229154.tif 000018
【図９】
2011229154.tif 000019
【図１０】
2011229154.tif 000020
【図１１】
2011229154.tif 000021
【図１２】
2011229154.tif 000022
【図１３】
2011229154.tif 000023
【図１４】
2011229154.tif 000024
【図１５】
2011229154.tif 000025
【手続補正書】
【提出日】平成23年6月10日(2011.6.10)
【手続補正１】
【補正対象書類名】特許請求の範囲
【補正対象項目名】全文
【補正方法】変更
【補正の内容】
【特許請求の範囲】
【請求項１】
第１の特有のワードに基づいて第１のフレームのヘッダをスクランブルし、
第２の特有のワードに基づいて第２のフレームのヘッダをスクランブルするステップを含んでおり、
対応するスクランブルされたヘッダを含む第１のフレームと、対応するスクランブルされたヘッダを含む第２のフレームとはそれぞれ、通信システムの隣接する同一チャンネルによって送信される通信システムの同一チャンネル干渉を最小にする方法。
【外国語明細書】
2011229154000001.pdf